(57)【要約】【課題】正常又は欠損したナット／ボルト頭部に使用することができる上、スパナの寿命を延ばす、漸次式レンチ構造を提供する。【解決手段】漸次式レンチ構造はレンチを含む。レンチの嵌着端１１は、少なくとも２つの接合面を有する。各接合面は、一側の第１の斜面２１を介して上方に接続された第１の平面２２を有する。第１の平面２２には第２の斜面２３が接続される。第２の斜面２３には第３の斜面２４が接続される。第３の斜面２４には第２の平面２５が接続される。第２の平面２５には第４の斜面２６が接続される。第４の斜面２６には第５の斜面２７が接続される。第１の平面２２、第２の斜面２３及び第３の斜面２４により第１の噛合歯が構成される。第２の平面２５、第４の斜面２６及び第５の斜面２７により第２の噛合歯が構成される。【選択図】図２
0003206269.tif 000002
【実用新案登録請求の範囲】
【請求項１】
レンチを含む漸次式レンチ構造であって、
前記レンチの嵌着端は、少なくとも２つの接合面を有し、
各前記接合面は、一側の第１の斜面を介して上方に接続された第１の平面を有し、前記第１の平面には第２の斜面が接続され、前記第２の斜面には第３の斜面が接続され、前記第３の斜面には第２の平面が接続され、前記第２の平面には第４の斜面が接続され、前記第４の斜面には第５の斜面が接続され、
前記第１の平面、前記第２の斜面及び前記第３の斜面により第１の噛合歯が構成され、
前記第２の平面、前記第４の斜面及び前記第５の斜面により第２の噛合歯が構成され、
未欠損のナット／ボルト頭部は、一方の前記接合面の前記第２の斜面と、それと対をなす他方の前記接合面の前記第４の斜面とに当接させることにより回転可能であり、
欠損したナット／ボルト頭部は、一方の前記接合面の前記第１の噛合歯と、それと対をなす他方の前記接合面の前記第２の噛合歯とに当接させることにより回転可能であることを特徴とする漸次式レンチ構造。
【請求項２】
前記レンチはメガネレンチであり、
前記第１の噛合歯及び前記第２の噛合歯は、前記メガネレンチの６つの接合面に配列され、互いに隣り合う前記接合面の前記第１の噛合歯及び前記第２の噛合歯の配列順序が反対である上、対をなす前記接合面の前記第１の噛合歯及び前記第２の噛合歯が互いに対応することを特徴とする請求項１に記載の漸次式レンチ構造。
【請求項３】
前記レンチはラチェットレンチであり、
前記第１の噛合歯及び前記第２の噛合歯は、前記ラチェットレンチの６つの接合面に配列され、互いに隣り合う前記接合面の前記第１の噛合歯及び前記第２の噛合歯の配列順序が反対である上、対をなす前記接合面の前記第１の噛合歯及び前記第２の噛合歯が互いに対応することを特徴とする請求項１に記載の漸次式レンチ構造。
【請求項４】
前記レンチの前記嵌着端はソケットであり、
前記第１の噛合歯及び前記第２の噛合歯は、前記ソケットの６つの接合面に配列され、互いに隣り合う前記接合面の前記第１の噛合歯及び前記第２の噛合歯の配列順序が反対である上、対をなす前記接合面の前記第１の噛合歯及び前記第２の噛合歯が互いに対応することを特徴とする請求項１に記載の漸次式レンチ構造。
【請求項５】
前記接合面と前記第１の斜面との間に形成される夾角θ１は３〜１０度であることを特徴とする請求項１に記載の漸次式レンチ構造。
【請求項６】
前記接合面と前記第２の斜面との間に形成される夾角θ２は３〜６度であることを特徴とする請求項１に記載の漸次式レンチ構造。
【請求項７】
前記接合面と前記第４の斜面との間に形成される夾角θ３は２〜５度であることを特徴とする請求項１に記載の漸次式レンチ構造。
【請求項８】
前記接合面と前記第１の平面及び前記第２の平面との間に形成される夾角θ４，θ５は９０度であることを特徴とする請求項１に記載の漸次式レンチ構造。  
【考案の詳細な説明】
【技術分野】
【０００１】
本考案は、スパナに関し、特に、少なくとも２つの接合面が、第１の平面、第２の斜面及び第３の斜面により構成される第１の噛合歯と、第２の平面、第４の斜面及び第５の斜面により構成される第２の噛合歯と、をそれぞれ含み、正常又は欠損したナット／ボルト頭部に使用することができる上、スパナの寿命を延ばす、漸次式レンチ構造に関する。
【背景技術】
【０００２】
特許文献１では、工具噛合部は、３つの１２０度の内角上に位置するとともに、第１の噛合側部、第２の噛合側部及びカバー状噛合溝を含む。第１の噛合側部は、一方の隣り合う２つの内角間に設けられ、第２の噛合側部は、他方の対をなす隣り合う２つの内角間に設けられる。カバー状噛合溝は、第１の円弧、第１の接続部、中端円弧、第２の接続部、第２の円弧、第１の噛合歯及び第２の噛合歯を含む。第１の噛合側部及び第２の噛合側部を螺着部材に噛合し、螺着部材の頭部の角が摩損することを防ぎながら螺着部材を効果的に締め付けたり緩めたりすることができる上、頭部の角の摩損程度が８０〜９０％に達するほどの螺着部材にも使用することもできる。
【０００３】
従来の工具噛合部は、カバー状噛合溝が第１の噛合側部の側辺と第２の噛合側部の側辺との間の回転角度の隅部に形成され、明らかに本考案が側辺に設けるのとは異なる上、非常に大きな差異があり、従来の工具噛合部の側部は半円弧部、接続部、円弧部及び噛合歯のみを有し、その構造があまり簡素でなく、あまり実用的でなく効率があまり高くない点が本考案と大きく異なる。
【０００４】
そのため、従来技術の問題点を改善する技術が求められていた。
【先行技術文献】
【特許文献】
【０００５】
【特許文献１】台湾実用新案登録第Ｍ４９１５５４号公報
【考案の概要】
【考案が解決しようとする課題】
【０００６】
本考案の主な目的は、少なくとも２つの接合面が第１の平面、第２の斜面及び第３の斜面により構成される第１の噛合歯と、第２の平面、第４の斜面及び第５の斜面により構成される第２の噛合歯と、を含み、正常又は欠損したナット／ボルト頭部に使用することができる上、スパナの寿命を延ばす、漸次式レンチ構造を提供することにある。
【課題を解決するための手段】
【０００７】
上記課題を解決するために、本考案の第１の形態によれば、レンチを含む漸次式レンチ構造であって、前記レンチの嵌着端は、少なくとも２つの接合面を有し、各前記接合面は、一側の第１の斜面を介して上方に接続された第１の平面を有し、前記第１の平面には第２の斜面が接続され、前記第２の斜面には第３の斜面が接続され、前記第３の斜面には第２の平面が接続され、前記第２の平面には第４の斜面が接続され、前記第４の斜面には第５の斜面が接続され、前記第１の平面、前記第２の斜面及び前記第３の斜面により第１の噛合歯が構成され、前記第２の平面、前記第４の斜面及び前記第５の斜面により第２の噛合歯が構成され、未欠損のナット／ボルト頭部は、一方の前記接合面の前記第２の斜面と、それと対をなす他方の前記接合面の前記第４の斜面とに当接させると回転可能であり、欠損したナット／ボルト頭部は、一方の前記接合面の前記第１の噛合歯と、それと対をなす他方の前記接合面の前記第２の噛合歯とに当接させると回転可能であることを特徴とする漸次式レンチ構造が提供される。
【考案の効果】
【０００８】
本考案の漸次式レンチ構造は、少なくとも２つの接合面が第１の平面、第２の斜面及び第３の斜面により構成される第１の噛合歯と、第２の平面、第４の斜面及び第５の斜面により構成される第２の噛合歯と、を含み、正常又は欠損したナット／ボルト頭部に使用することができる上、スパナの寿命を延ばすこともできる。
【図面の簡単な説明】
【０００９】
【図１】図１は、本考案の一実施形態に係る漸次式レンチ構造を示す斜視図である。
【図２】図２は、本考案の一実施形態に係る漸次式レンチ構造の接合面を示す部分拡大図である。
【図３】図３は、本考案の一実施形態に係る漸次式レンチ構造の接合端を示す部分拡大図である。
【図４】図４は、本考案の一実施形態に係る漸次式レンチ構造を正常なボルト頭部に使用するときの状態を示す模式図である。
【図５】図５は、本考案の一実施形態に係る漸次式レンチ構造を欠損したボルト頭部に使用するときの状態を示す模式図である。
【図６】図６は、本考案の他の実施形態に係る漸次式レンチ構造の接合端を示す部分拡大図である。
【図７】図７は、本考案の他の実施形態に係る漸次式レンチ構造をラチェットレンチに応用したときの状態を示す模式図である。
【図８】図８は、本考案の他の実施形態に係る漸次式レンチ構造をラチェットレンチのソケットに応用したときの状態を示す模式図である。
【考案を実施するための形態】
【００１０】
以下、本考案の実施形態について図に基づいて説明する。なお、これによって本考案が限定されるものではない。
【００１１】
図１〜図８を参照する。図１〜図８に示すように、本考案の一実施形態に係る漸次式レンチ構造は、レンチ１０を含む。
【００１２】
レンチ１０の嵌着端１１は、少なくとも２つの接合面１２を有する。
【００１３】
前述した各接合面１２は、一側の第１の斜面２１を介して上方に接続された第１の平面２２を有する。第１の平面２２には第２の斜面２３が接続される。第２の斜面２３には第３の斜面２４が接続される。第３の斜面２４には第２の平面２５が接続される。第２の平面２５には第４の斜面２６が接続される。第４の斜面２６には第５の斜面２７が接続される。第１の平面２２、第２の斜面２３及び第３の斜面２４により第１の噛合歯３０が構成される。第２の平面２５、第４の斜面２６及び第５の斜面２７により第２の噛合歯４０が構成される。この構成により、未欠損のナット／ボルト頭部５０ａは、一方の接合面１２の第２の斜面２３と、それと対をなす他方の接合面１２の第４の斜面２６とに当接させると回転可能である。欠損したナット／ボルト頭部５０ｂは、一方の接合面１２の第１の噛合歯３０と、それと対をなす他方の接合面１２の第２の噛合歯４０とに当接させると回転可能である。このようにレンチ１０は、未欠損又は欠損したナット／ボルト頭部５０ｂに使用することができる上、強度が高いため寿命を延ばすこともできる。
【００１４】
上述した漸次式レンチ構造において、接合面１２と第１の斜面２１との間に形成される夾角θ１は３〜１０度である。
【００１５】
上述した漸次式レンチ構造において、接合面１２と第２の斜面２３との間に形成される夾角θ２は３〜６度である。
【００１６】
上述した漸次式レンチ構造において、接合面１２と第４の斜面２６との間に形成される夾角θ３は２〜５度である。
【００１７】
上述した漸次式レンチ構造において、接合面１２と第１の平面２２及び第２の平面２５との間に形成される夾角θ４，θ５は９０度である。
【００１８】
図６を参照する。図６に示すように、本実施形態の漸次式レンチ構造のレンチ１０はメガネレンチ１０ａである。第１の噛合歯３０及び第２の噛合歯４０は、メガネレンチ１０ａの６つの接合面１２に配列され、互いに隣り合う接合面１２の第１の噛合歯３０及び第２の噛合歯４０の配列順序が反対である上、対をなす接合面１２の第１の噛合歯３０及び第２の噛合歯４０が互いに対応する。
【００１９】
図７を参照する。図７に示すように、本実施形態の漸次式レンチ構造のレンチ１０はラチェットレンチ１０ｂである。第１の噛合歯３０及び第２の噛合歯４０は、ラチェットレンチ１０ｂの６つの接合面１２に配列され、互いに隣り合う接合面１２の第１の噛合歯３０及び第２の噛合歯４０の配列順序が反対である上、対をなす接合面１２の第１の噛合歯３０及び第２の噛合歯４０が互いに対応する。
【００２０】
図８を参照する。図８に示すように、本実施形態の漸次式レンチ構造のレンチ１０の嵌着端１１はソケット１１ａである。第１の噛合歯３０及び第２の噛合歯４０は、ソケット１１ａの６つの接合面１２に配列され、互いに隣り合う接合面１２の第１の噛合歯３０及び第２の噛合歯４０の配列順序が反対である上、対をなす接合面１２の第１の噛合歯３０及び第２の噛合歯４０が互いに対応する。
【００２１】
上述したことから分かるように、本考案の漸次式レンチ構造は、少なくとも２つの接合面が第１の平面、第２の斜面及び第３の斜面により構成される第１の噛合歯と、第２の平面、第４の斜面及び第５の斜面により構成される第２の噛合歯と、を含み、正常又は欠損したナット／ボルト頭部に使用することができる上、スパナの寿命を延ばすこともできる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１０    レンチ
１０ａ  メガネレンチ
１０ｂ  ラチェットレンチ
１１    嵌着端
１１ａ  ソケット
１２    接合面
２１    第１の斜面
２２    第１の平面
２３    第２の斜面
２４    第３の斜面
２５    第２の平面
２６    第４の斜面
２７    第５の斜面
３０    第１の噛合歯
４０    第２の噛合歯
５０ａ  ナット／ボルト頭部
５０ｂ  ナット／ボルト頭部
θ１    夾角
θ２    夾角
θ３    夾角
θ４    夾角
θ５    夾角
【図１】
0003206269.tif 000003
【図２】
0003206269.tif 000004
【図３】
0003206269.tif 000005
【図４】
0003206269.tif 000006
【図５】
0003206269.tif 000007
【図６】
0003206269.tif 000008
【図７】
0003206269.tif 000009
【図８】
0003206269.tif 000010